【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
遊技者が操作可能な演出選択スイッチと、
遊技球が打ち込まれる遊技領域を形成した遊技盤と、
該遊技盤を着脱自在に取り付ける本体枠と、
該本体枠の一側に開閉自在に軸支されて前記遊技盤の遊技領域を視認可能な開口窓が形成される前面枠と、
遊技を進行するとともに該遊技の進行に関する各種情報が記憶されるＲＡＭを備える主制御基板と、
演出の進行を制御する周辺制御基板と、
を備えるパチンコ機であって、
前記前面枠は、少なくとも、
スピーカと、
光源と、
を複数備え、
前記主制御基板は、少なくとも、
前記パチンコ機の電源投入時に前記ＲＡＭに記憶されている前記遊技の進行に関する各種情報を数値とみなしてその合計を算出する電源投入時サム値算出制御手段と、
前記パチンコ機の電源遮断時に前記ＲＡＭに記憶されている前記遊技の進行に関する各種情報を数値とみなしてその合計を算出する電源遮断時サム値算出制御手段と、
前記電源遮断時サム値算出制御手段が算出した値を前記ＲＡＭに記憶する電源遮断時サム値記憶制御手段と、
前記電源投入時サム値算出制御手段が算出した値と、前記電源遮断時サム値記憶制御手段が記憶した値と、が一致しているか否かを判定するサム値判定制御手段と、
前記周辺制御基板にコマンドを送信するコマンド送信制御手段と、
前記パチンコ機の電源投入時に前記ＲＡＭに記憶されている前記遊技の進行に関する各種情報をすべて消去することができる初期化制御手段と、
を備え、
当該主制御基板は、電源投入時に、前記サム値判定制御手段により、前記電源投入時サム値算出制御手段が算出した値と前記電源遮断時サム値記憶制御手段が記憶した値とが一致していないと判定したときには前記初期化制御手段により前記ＲＡＭに記憶されている前記遊技の進行に関する各種情報をすべて消去するとともに、前記コマンド送信制御手段によりＲＡＭクリア報知コマンドを前記周辺制御基板に送信し、
前記周辺制御基板は、少なくとも、
前記主制御基板からのコマンドを受信するコマンド受信制御手段と、
前記演出選択スイッチからの操作信号が入力されているか否かを判定する演出選択スイッチ操作有無判定制御手段と、
前記スピーカ及び前記光源をそれぞれ駆動する駆動制御手段と、
を備え、
当該周辺制御基板は、前記コマンド受信制御手段により前記ＲＡＭクリア報知コマンドを受信すると、予め定めた報知期間が経過するまで、前記駆動制御手段により前記スピーカを駆動して前記遊技の進行に関する各種情報がすべて消去された旨を伝えるＲＡＭクリア報知音を当該スピーカから流すとともに前記光源を駆動して当該遊技の進行に関する各種情報がすべて消去された旨を伝えるＲＡＭクリア報知発光態様で当該光源を発光し、
当該コマンド受信制御手段により当該ＲＡＭクリア報知コマンドを受信した後であって、前記予め定めた報知期間が経過するまでに、前記演出選択スイッチ操作有無判定制御手段により当該演出選択スイッチからの操作信号が入力されていると判定したときにはこれを契機として前記光源を駆動して前記ＲＡＭクリア報知発光態様から当該演出選択スイッチが操作された旨を伝える操作確認報知発光態様に切り替えて当該光源を発光して前記操作確認報知発光態様による当該光源の発光を進行させた後に、当該操作確認報知発光態様から当該ＲＡＭクリア報知発光態様に再び切り替えて当該光源を発光することを特徴とするパチンコ機。
【手続補正２】
【補正対象書類名】明細書
【補正対象項目名】０００８
【補正方法】変更
【補正の内容】
【０００８】
（解決手段１）
遊技者が操作可能な演出選択スイッチと、遊技球が打ち込まれる遊技領域を形成した遊技盤と、該遊技盤を着脱自在に取り付ける本体枠と、該本体枠の一側に開閉自在に軸支されて前記遊技盤の遊技領域を視認可能な開口窓が形成される前面枠と、遊技を進行するとともに該遊技の進行に関する各種情報が記憶されるＲＡＭを備える主制御基板と、演出の進行を制御する周辺制御基板と、を備えるパチンコ機であって、前記前面枠は、少なくとも、スピーカと、光源と、を複数備え、前記主制御基板は、少なくとも、前記パチンコ機の電源投入時に前記ＲＡＭに記憶されている前記遊技の進行に関する各種情報を数値とみなしてその合計を算出する電源投入時サム値算出制御手段と、前記パチンコ機の電源遮断時に前記ＲＡＭに記憶されている前記遊技の進行に関する各種情報を数値とみなしてその合計を算出する電源遮断時サム値算出制御手段と、前記電源遮断時サム値算出制御手段が算出した値を前記ＲＡＭに記憶する電源遮断時サム値記憶制御手段と、前記電源投入時サム値算出制御手段が算出した値と、前記電源遮断時サム値記憶制御手段が記憶した値と、が一致しているか否かを判定するサム値判定制御手段と、前記周辺制御基板にコマンドを送信するコマンド送信制御手段と、前記パチンコ機の電源投入時に前記ＲＡＭに記憶されている前記遊技の進行に関する各種情報をすべて消去することができる初期化制御手段と、を備え、当該主制御基板は、電源投入時に、前記サム値判定制御手段により、前記電源投入時サム値算出制御手段が算出した値と前記電源遮断時サム値記憶制御手段が記憶した値とが一致していないと判定したときには前記初期化制御手段により前記ＲＡＭに記憶されている前記遊技の進行に関する各種情報をすべて消去するとともに、前記コマンド送信制御手段によりＲＡＭクリア報知コマンドを前記周辺制御基板に送信し、前記周辺制御基板は、少なくとも、前記主制御基板からのコマンドを受信するコマンド受信制御手段と、前記演出選択スイッチからの操作信号が入力されているか否かを判定する演出選択スイッチ操作有無判定制御手段と、前記スピーカ及び前記光源をそれぞれ駆動する駆動制御手段と、を備え、当該周辺制御基板は、前記コマンド受信制御手段により前記ＲＡＭクリア報知コマンドを受信すると、予め定めた報知期間が経過するまで、前記駆動制御手段により前記スピーカを駆動して前記遊技の進行に関する各種情報がすべて消去された旨を伝えるＲＡＭクリア報知音を当該スピーカから流すとともに前記光源を駆動して当該遊技の進行に関する各種情報がすべて消去された旨を伝えるＲＡＭクリア報知発光態様で当該光源を発光し、当該コマンド受信制御手段により当該ＲＡＭクリア報知コマンドを受信した後であって、前記予め定めた報知期間が経過するまでに、前記演出選択スイッチ操作有無判定制御手段により当該演出選択スイッチからの操作信号が入力されていると判定したときにはこれを契機として前記光源を駆動して前記ＲＡＭクリア報知発光態様から当該演出選択スイッチが操作された旨を伝える操作確認報知発光態様に切り替えて当該光源を発光して前記操作確認報知発光態様による当該光源の発光を進行させた後に、当該操作確認報知発光態様から当該ＲＡＭクリア報知発光態様に再び切り替えて当該光源を発光することを特徴とするパチンコ機。
【手続補正３】
【補正対象書類名】明細書
【補正対象項目名】０００９
【補正方法】変更
【補正の内容】
【０００９】
このパチンコ機では、演出選択スイッチ、遊技盤、本体枠、前面枠、主制御基板、周辺制御基板を備えている。演出選択スイッチは、遊技者が操作することができるものである。遊技盤は、遊技球が打ち込まれる遊技領域が形成されている。本体枠は、遊技盤を着脱自在に取り付けることができるようになっている。前面枠は、本体枠の一側に開閉自在に軸支されて遊技盤の遊技領域を視認可能な開口窓が形成されている。主制御基板は、遊技を進行するものであり、この遊技の進行に関する各種情報が記憶されるＲＡＭを備えている。周辺制御基板は、演出の進行を制御するものである。
前面枠は、少なくとも、スピーカ、光源を複数備えている。
【手続補正４】
【補正対象書類名】明細書
【補正対象項目名】００１０
【補正方法】変更
【補正の内容】
【００１０】
主制御基板は、少なくとも、電源投入時サム値算出制御手段、電源遮断時サム値算出制御手段、電源遮断時サム値記憶制御手段、サム値判定制御手段、コマンド送信制御手段、初期化制御手段を備えている。電源投入時サム値算出制御手段は、パチンコ機の電源投入時にＲＡＭに記憶されている遊技の進行に関する各種情報を数値とみなしてその合計を算出することができるものである。電源遮断時サム値算出制御手段は、パチンコ機の電源遮断時にＲＡＭに記憶されている遊技の進行に関する各種情報を数値とみなしてその合計を算出することができるものである。電源遮断時サム値記憶制御手段は、電源遮断時サム値算出制御手段が算出した値をＲＡＭに記憶することができるものである。サム値判定制御手段は、電源投入時サム値算出制御手段が算出した値と、電源遮断時サム値記憶制御手段が記憶した値と、が一致しているか否かを判定することができるものである。コマンド送信制御手段は、周辺制御基板にコマンドを送信するものである。初期化制御手段は、パチンコ機の電源投入時にＲＡＭに記憶されている遊技の進行に関する各種情報をすべて消去することができるものである。主制御基板は、電源投入時に、サム値判定制御手段により、電源投入時サム値算出制御手段が算出した値と電源遮断時サム値記憶制御手段が記憶した値とが一致していないと判定したときには初期化制御手段によりＲＡＭに記憶されている遊技の進行に関する各種情報をすべて消去するとともに、コマンド送信制御手段によりＲＡＭクリア報知コマンドを周辺制御基板に送信している。
【手続補正５】
【補正対象書類名】明細書
【補正対象項目名】００１１
【補正方法】変更
【補正の内容】
【００１１】
周辺制御基板は、少なくとも、コマンド受信制御手段、演出選択スイッチ操作有無判定制御手段、駆動制御手段を備えている。コマンド受信制御手段は、主制御基板からのコマンドを受信するものであり、演出選択スイッチ操作有無判定制御手段は、演出選択スイッチからの操作信号が入力されているか否かを判定するものであり、駆動制御手段は、スピーカ及び光源をそれぞれ駆動するものである。周辺制御基板は、コマンド受信制御手段によりＲＡＭクリア報知コマンドを受信すると、予め定めた報知期間が経過するまで、駆動制御手段によりスピーカを駆動して遊技の進行に関する各種情報がすべて消去された旨を伝えるＲＡＭクリア報知音をスピーカから流すとともに光源を駆動して遊技の進行に関する各種情報がすべて消去された旨を伝えるＲＡＭクリア報知発光態様で光源を発光し、コマンド受信制御手段によりＲＡＭクリア報知コマンドを受信した後であって、予め定めた報知期間が経過するまでに、演出選択スイッチ操作有無判定制御手段により演出選択スイッチからの操作信号が入力されていると判定したときにはこれを契機として光源を駆動してＲＡＭクリア報知発光態様から演出選択スイッチが操作された旨を伝える操作確認報知発光態様に切り替えて光源を発光して操作確認報知発光態様による光源の発光を進行させた後に、操作確認報知発光態様からＲＡＭクリア報知発光態様に再び切り替えて光源を発光する。
【手続補正６】
【補正対象書類名】明細書
【補正対象項目名】００１２
【補正方法】変更
【補正の内容】
【００１２】
このように、パチンコ機に初めて電源が投入されると、主制御基板は、電源投入時サム値算出制御手段が算出した値と電源遮断時サム値記憶制御手段が記憶した値とが不一致（チェックサムエラー）となることで初期化制御手段によりＲＡＭに記憶されている遊技の進行に関する各種情報をすべて消去してコマンド送信制御手段によりＲＡＭクリア報知コマンドを周辺制御基板に送信することができるようになっている。このＲＡＭクリア報知コマンドを受信した周辺制御基板は、予め定めた報知期間が経過するまで、ＲＡＭクリア報知発光態様で光源を発光するとともにＲＡＭクリア報知音をスピーカから流すようになっている。また周辺制御基板は、ＲＡＭクリア報知発光態様で光源を発光するとともにＲＡＭクリア報知音をスピーカから流している際に、つまり予め定めた報知期間が経過するまでに、管理者が演出選択スイッチを操作することにより演出選択スイッチからの操作信号が入力されているときには、これを契機として、ＲＡＭクリア報知発光態様から演出選択スイッチが操作された旨を伝える操作確認報知発光態様に切り替えて光源を発光するという演出選択スイッチの検査作業を行うことができるようになっているので、管理者は、光源の発光態様の切り替えを目視することにより演出スイッチの不具合を確認することができる。一方、遊技者は、遊技中に瞬停により遊技が突然中断され、瞬停が発生して電力が回復した際に、思わず演出選択スイッチを連打しても、電源投入時に、電源投入時サム値算出制御手段が算出した値と電源遮断時サム値記憶制御手段が記憶した値とが不一致（チェックサムエラー）とならなければ初期化制御手段によりＲＡＭに記憶されている遊技の進行に関する各種情報がすべて消去されずにＲＡＭクリア報知コマンドが周辺制御基板に送信されないので、周辺制御基板は、演出選択スイッチの操作有無を判定することができないようになっている。これにより、遊技者は、瞬停が発生して電力が回復した際に、自身の演出選択スイッチの連打によって、ＲＡＭクリア報知音がスピーカから流れることがないし、光源が操作確認報知発光態様で発光することもないので、つまり本来必要ない演出選択スイッチの検査作業を行わずに済むので、遊技者に違和感を与えることがない。したがって、遊技者に違和感を与えることなく、演出選択スイッチの不具合を確認することができる。
【手続補正７】
【補正対象書類名】明細書
【補正対象項目名】００１３
【補正方法】変更
【補正の内容】
【００１３】
本実施形態では、例えば、図１のスピーカ３６がスピーカに相当し、図１の演出選択スイッチ３８（上側演出選択スイッチ３８ａ、下側演出選択スイッチ３８ｂ）が演出選択スイッチに相当し、図４の遊技盤４が遊技盤に相当し、図２の本体枠３が本体枠に相当し、図２の開口窓３０が開口窓に相当し、図２の前面枠５が前面枠に相当し、図１６のＲＡＭ１０１ｃがＲＡＭに相当し、図１６の主制御基板１０１が主制御基板に相当し、図１６のサブ統合基板１１１が周辺制御基板に相当し、図１のパチンコ機１がパチンコ機に相当し、図２４の電源投入時処理におけるステップＳ３２のチェックサムの算出を行う処理が電源投入時サム値算出制御手段に相当し、図２４の電源投入時処理におけるステップＳ６０のチェックサムの算出記憶を行う処理が電源遮断時サム値算出制御手段と電源遮断時サム値記憶制御手段とに相当し、図２４の電源投入時処理におけるステップＳ３４のチェックサムの値が一致しているか否かの判定を行う処理がサム値判定制御手段に相当し、図２５のタイマ割り込み処理におけるステップＳ９２のサブ統合基板コマンド送信処理がコマンド送信制御手段に相当し、図２４の電源投入時処理におけるステップＳ４２のＲＡＭの全領域クリアを行う処理が初期化制御手段に相当し、図２８のコマンド受信割り込み処理及び図２９のコマンド受信終了割り込み処理がコマンド受信制御手段に相当し、図３１の音響電飾装置及びサイド装飾装置出力処理におけるステップＳ１２６の判定が演出選択スイッチ操作有無判定制御手段に相当し、図３１の音響電飾装置及びサイド装飾装置出力処理におけるステップＳ１４８、ステップＳ１４９、ステップＳ１５３〜ステップＳ１５５及びステップＳ１５７の各処理が駆動制御手段に相当し、ＲＡＭクリア報知時間が「予め定めた報知期間」に相当し、図３１の音響電飾装置及びサイド装飾装置出力処理におけるステップＳ１５４の処理で設定される「ＲＡＭクリア報知用音データ」に従った内容で進行する音源ＩＣ１１１ｇによりスピーカ３６，３６から流れる報知音がＲＡＭクリア報知音に相当し、図３１の音響電飾装置及びサイド装飾装置出力処理におけるステップＳ１５５の処理で設定される「ＲＡＭクリア報知用点灯データ」に従った内容で進行する発光態様がＲＡＭクリア報知発光態様に相当し、図３１の音響電飾装置及びサイド装飾装置出力処理におけるステップＳ１５７の処理で設定される「操作確認用点灯データ」に従った内容で進行する発光態様が操作確認報知発光態様に相当する。